(57)【要約】【課題】複雑な構成を用いずに、潤滑剤が定着ベルトの外周面に漏れることを抑制することを目的とする。【解決手段】定着装置９は、定着ベルト２１の端面２１ｅに対向する円板部４１Ｄと、円板部４１Ｄから定着ベルト２１の長手方向の中央側へ延びるように形成され、内周面が定着ベルト２１の外周面２１ｏに対向する円筒部４１Ｃと、を有する、定着ベルト２１と連れ回る一対のキャップ４１と、を備える。定着ベルト２１の外周面２１ｏに、定着ベルト２１の長手方向において端面２１ｅ側の外径が中央側の外径よりも小さくなるように定着ベルト２１の周方向に延びる段差部２１ｓが形成され、キャップ４１は、段差部２１ｓに接触する接触部（対向面４３ｓ）を備え、定着ベルト２１の端面２１ｅと円板部４１Ｄとの間に間隙Ｇが設けられている。【選択図】図４
2019211690.tif 000002
【特許請求の範囲】
【請求項１】
円筒状の回転可能な定着ベルトと、
前記定着ベルトの内周面に潤滑剤を介して対向する押圧部材と、
前記押圧部材との間に前記定着ベルトを挟持し、前記定着ベルトとの間に用紙が挟持搬送される加圧領域を形成し、前記定着ベルトを従動回転させる加圧ローラーと、
前記定着ベルトの端面に対向する円板部と、前記円板部から前記定着ベルトの長手方向の中央側へ延びるように形成され、内周面が前記定着ベルトの外周面に対向する円筒部と、を有する、前記定着ベルトと連れ回る一対のキャップと、を備え、
前記定着ベルトの外周面に、前記定着ベルトの長手方向において端面側の外径が中央側の外径よりも小さくなるように前記定着ベルトの周方向に延びる段差部が形成され、
前記キャップは、前記段差部に接触する接触部を備え、
前記定着ベルトの端面と前記円板部との間に間隙が設けられていることを特徴とする定着装置。
【請求項２】
前記キャップは、前記定着ベルトの外周面のうち前記段差部よりも前記端面側の領域に接触する環状のベルト保持部材を前記円筒部の内周面に備え、
前記接触部は、前記ベルト保持部材の前記段差部と対向する対向面であることを特徴とする請求項１に記載の定着装置。
【請求項３】
前記キャップは、
前記円筒部の内周面から突出し、周方向に延びるように形成され、前記定着ベルトの外周面のうち前記段差部よりも前記端面側の領域に対向する凸部と、
前記円筒部の内周面のうち前記凸部よりも前記定着ベルトの長手方向の中央側の領域に設けられた、前記定着ベルトの外周面のうち前記段差部よりも前記定着ベルトの長手方向の中央側の領域に接触する環状のベルト保持部材と、を備え、
前記接触部は、前記凸部の前記段差部と対向する対向面であることを特徴とする請求項１に記載の定着装置。
【請求項４】
前記定着ベルトの内周面に接触して前記定着ベルトを保持するベルトテンションガイド部材を備えることを特徴とする請求項２又は３に記載の定着装置。
【請求項５】
前記用紙にトナー像を形成する画像形成部と、
前記トナー像を前記用紙に定着する請求項１乃至４のいずれか１項に記載の定着装置と、を備えることを特徴とする画像形成装置。
【発明の詳細な説明】
【技術分野】
【０００１】
本発明は、用紙にトナー像を定着させる定着装置及びこの定着装置を備えた画像形成装置に関する。
【背景技術】
【０００２】
トナーを用紙に定着させる方式の一つとして、摺動ベルト方式が知られている。この方式においては、回転可能な円筒状の定着ベルトと、定着ベルトの内周面に対向する押圧パッドと、押圧パッドとの間に定着ベルトを挟持し、定着ベルトとの間に用紙が挟持搬送される加圧領域を形成し、定着ベルトを従動回転させる加圧ローラーと、定着ベルトを加熱する加熱手段とが備えられる。定着ベルトの内周面には、押圧パッドとの摩擦を軽減する潤滑剤が塗布されている。
【０００３】
上記構成において、定着ベルトの長手方向の両端部にキャップが設けられる場合がある。キャップは、定着ベルトの端面に接触する円板部と、円板部から定着ベルトの長手方向の中央側へ延びるように形成され、内周面が定着ベルトの外周面に対向する円筒部とを有し、定着ベルトと連れ回る。ここで、加圧領域外では定着ベルトの外周面は円筒部の内周面に接触するが、加圧領域は円筒部の内周面よりも中心側に形成されるから、加圧領域内では定着ベルトが中心側へ変形する。そのため、定着ベルトの回転に伴って、定着ベルトの端面は、円板部に対して径方向の摺動を繰り返す。すると、定着ベルトの内周面に塗布された潤滑剤が定着ベルトの端面と円板部との間に入り込み、定着ベルトの外周面に漏れ出てくる。潤滑剤が外周面に漏れ出ると、用紙の汚染、定着ベルトに対する加圧ローラーやキャップの滑り等の不具合が生じるおそれがある。
【０００４】
そこで、従来、定着ベルトの潤滑剤の漏れを抑制する技術が検討されている。例えば、特許文献１には、円板部（フランジ）の定着ベルトの端面と対向する面に弾性層を設け、定着ベルトの端面に円板部を加圧接触させることが記載されている。
【先行技術文献】
【特許文献】
【０００５】
【特許文献１】特開２０１７−９９４８号公報
【発明の概要】
【発明が解決しようとする課題】
【０００６】
しかし、特許文献１に記載された技術では、定着ベルトの端面に円板部を加圧接触させるための機構が追加されるため、定着装置の構成が複雑になってしまう。
【０００７】
本発明は、上記事情を考慮し、複雑な構成を用いずに、潤滑剤が定着ベルトの外周面に漏れることを抑制することのできる定着装置及び画像形成装置を提供することを目的とする。
【課題を解決するための手段】
【０００８】
上記課題を解決するため、本発明に係る定着装置は、円筒状の回転可能な定着ベルトと、前記定着ベルトの内周面に潤滑剤を介して対向する押圧部材と、前記押圧部材との間に前記定着ベルトを挟持し、前記定着ベルトとの間に用紙が挟持搬送される加圧領域を形成し、前記定着ベルトを従動回転させる加圧ローラーと、前記定着ベルトの端面に対向する円板部と、前記円板部から前記定着ベルトの長手方向の中央側へ延びるように形成され、内周面が前記定着ベルトの外周面に対向する円筒部と、を有する、前記定着ベルトと連れ回る一対のキャップと、を備え、前記定着ベルトの外周面に、前記定着ベルトの長手方向において端面側の外径が中央側の外径よりも小さくなるように前記定着ベルトの周方向に延びる段差部が形成され、前記キャップは、前記段差部に接触する接触部を備え、前記定着ベルトの端面と前記円板部との間に間隙が設けられていることを特徴とする。
【０００９】
本発明に係る定着装置において、前記キャップは、前記定着ベルトの外周面のうち前記段差部よりも前記端面側の領域に接触する環状のベルト保持部材を前記円筒部の内周面に備え、前記接触部は、前記ベルト保持部材の前記段差部と対向する対向面であることを特徴としてもよい。
【００１０】
本発明に係る定着装置において、前記キャップは、前記円筒部の内周面から突出し、周方向に延びるように形成され、前記定着ベルトの外周面のうち前記段差部よりも前記端面側の領域に対向する凸部と、前記円筒部の内周面のうち前記凸部よりも前記定着ベルトの長手方向の中央側の領域に設けられた、前記定着ベルトの外周面のうち前記段差部よりも前記定着ベルトの長手方向の中央側の領域に接触する環状のベルト保持部材と、を備え、前記接触部は、前記凸部の前記段差部と対向する対向面であることを特徴としてもよい。
【００１１】
本発明に係る定着装置において、前記定着ベルトの内周面に接触して前記定着ベルトを保持するベルトテンションガイド部材を備えることを特徴としてもよい。
【００１２】
また、本発明に係る画像形成装置は、前記用紙にトナー像を形成する画像形成部と、前記トナー像を前記用紙に定着する上記のいずれかの定着装置と、を備えることを特徴とする。
【発明の効果】
【００１３】
本発明によれば、複雑な構成を用いずに、潤滑剤が定着ベルトの外周面に漏れることを抑制することができる。
【図面の簡単な説明】
【００１４】
【図１】本発明の実施形態に係るプリンターの内部構成を模式的に示す正面図である。
【図２】本発明の第１実施形態に係る定着装置の断面図である。
【図３】本発明の第１実施形態に係る定着装置の断面図である。
【図４】本発明の第１実施形態に係る定着装置の断面図である。
【図５】本発明の第１実施形態に係る定着ベルトの断面図である。
【図６】本発明の第１実施形態に係る定着ベルトの斜視図である。
【図７】本発明の第１実施形態に係るキャップの斜視図である。
【図８Ａ】比較例の定着ベルトの断面図である。
【図８Ｂ】比較例の定着ベルトの断面図である。
【図８Ｃ】比較例の定着ベルトの断面図である。
【図９Ａ】本発明の第１実施形態に係る定着ベルトの断面図である。
【図９Ｂ】本発明の第１実施形態に係る定着ベルトの断面図である。
【図１０】本発明の第２実施形態に係る定着装置の断面図である。
【図１１】本発明の第１実施形態の変形例に係る定着装置の断面図である。
【図１２】本発明の第２実施形態の変形例に係る定着装置の断面図である。
【発明を実施するための形態】
【００１５】
以下、図面を参照しつつ本発明の実施形態に係る画像形成装置及び定着装置について説明する。
【００１６】
まず、図１を参照して、画像形成装置としてのプリンター１の全体の構成について説明する。図１は、プリンター１の内部構成を模式的に示す正面図である。以下、図１における紙面手前側をプリンター１の正面側（前側）とし、左右の向きはプリンター１を正面から見た方向を基準として説明する。各図において、Ｕ、Ｌｏ、Ｌ、Ｒ、Ｆｒ、Ｒｒは、それぞれ上、下、左、右、前、後を示す。
【００１７】
プリンター１の装置本体２には、用紙Ｓが収容される給紙カセット３と、給紙カセット３から用紙Ｓを送り出す給紙装置５と、用紙Ｓにトナー像を形成する画像形成部７と、トナー像を用紙Ｓに定着する定着装置９と、用紙Ｓを排紙する排紙装置１１と、排紙された用紙Ｓが受け止められる排紙トレイ１３と、が備えられている。さらに、装置本体２には、給紙装置５から、画像形成部７、定着装置９を経て排紙装置１１に向かう用紙Ｓの搬送経路１５が形成されている。
【００１８】
給紙装置５によって給紙カセット３から給紙された用紙Ｓは、搬送経路１５に沿って画像形成部７に搬送され、用紙Ｓにトナー像が形成される。用紙Ｓは搬送経路１５に沿って定着装置９に送られ、トナー像が用紙Ｓに定着される。トナー像が定着された用紙Ｓは、排紙装置１１から排紙トレイ１３に排出される。
【００１９】
＜第１実施形態＞
次に、図２乃至７を参照して、本発明の第１実施形態に係る定着装置９の構成について説明する。図２は、定着装置９の断面図である。図３は、図２のＩ−Ｉ断面図である。図４は、図３に示される断面の前側の部分の拡大図である。図５は、図４に示される定着ベルト２１の上側の部分の拡大図である。図６は、定着ベルト２１の斜視図である。図７は、キャップ４１の斜視図である。以下では、定着装置９の前側の部分について説明するが、後側の部分も前後が反転される以外は前側の部分と共通の構成を有する。
【００２０】
定着装置９は、円筒状の回転可能な定着ベルト２１と、定着ベルト２１を加熱するＩＨヒーター２３と、定着ベルト２１の内周面２１ｉに潤滑剤を介して対向する押圧パッド２５（押圧部材の一例）と、押圧パッド２５との間に定着ベルト２１を挟持する加圧ローラー２７と、定着ベルト２１の前後両端部に設けられた一対のキャップ４１と、を備える。以下の説明において、軸方向Ｘとは、加圧ローラー２７の軸方向（前後方向、長手方向）を指す。本実施形態では、定着ベルト２１の下側に加圧ローラー２７が位置する姿勢で定着装置９が配置された例を示すが、定着装置９はいかなる姿勢で配置されてもよい。
【００２１】
定着ベルト２１は、軸方向Ｘを長手方向とする円筒状に形成された無端のベルトであり、所定の内径を有し、可撓性を有する材料で形成される。図５に示されるように、定着ベルト２１は、基材層２１Ｋと、基材層２１Ｋの外周面に設けられる弾性層２１Ｄと、弾性層２１Ｄの外周面に設けられる離型層２１Ｒと、を有する。基材層２１Ｋは、Ｎｉ等の磁性合金や、ＣｕやＡｇ、Ａｌ等の金属粉を混入させたポリイミド樹脂で形成される。弾性層２１Ｄは、シリコンゴム等で形成される。離型層２１Ｒは、ＰＦＡチューブ等で形成される。定着ベルト２１の各部の寸法の一例を示すと、内径が２５乃至３５ｍｍ、基材層２１Ｋの層厚が３０乃至５０μｍ、弾性層２１Ｄの層厚が１００乃至５００μｍ、離形層２１Ｒの層厚が２０乃至３０μｍである。定着ベルト２１の内周面２１ｉには、フッ素グリス、シリコングリス等の潤滑剤が塗布されている。
【００２２】
図２乃至４に示されるように、定着ベルト２１は、ステー２４とベルトテンションガイド部材３１によって支持される。ステー２４は、軸方向Ｘを長手方向とする角筒状の部材であり、長手方向の長さは定着ベルト２１の長手方向の長さよりも長い。ステー２４は、定着ベルト２１の中空部を貫通し、その両端がハウジング（図示省略）に固定されている。ステー２４の上部には、ベルトテンションガイド部材３１が配置されている。ベルトテンションガイド部材３１は、定着ベルト２１の内周面２１ｉに沿う円弧状の断面を有し、ステンレス鋼等の材料で形成されている。ベルトテンションガイド部材３１は、定着ベルト２１の内周面２１ｉに接触して定着ベルト２１を支持し、定着ベルト２１の回転を安定させる。
【００２３】
定着ベルト２１の両端部の外周面２１ｏには、定着ベルト２１の周方向に延びる段差部２１ｓが形成されている。具体的には、図４乃至６に示されるように、定着ベルト２１の長手方向において端面２１ｅ側の外径が中央側の外径よりも小さくなるように定着ベルト２１の周方向に延びる段差部２１ｓが形成されている。図５に示される例は、弾性層２１Ｄを、前側（端面２１ｅ側）が後側（中央側）よりも薄くなるように形成し、弾性層２１Ｄの後側の外周面にのみ離形層２１Ｒを形成することで段差部２１ｓを形成した例である。段差部２１ｓの高さは、例えば、３００乃至４００μｍである。以下、定着ベルト２１の外周面２１ｏのうち、段差部２１ｓよりも前側（端面２１ｅ側）の領域を小径部２１ｏＳといい、段差部２１ｓよりも後側（中央側）の領域を大径部２１ｏＬという。
【００２４】
ＩＨヒーター２３は、コイル部２３ａと、コイル部２３ａを巻線状に保持するコイルボビン２３ｂと、アーチコア２３ｃと、を有している。ＩＨヒーター２３は、所定の間隔を隔てて定着ベルト２１の外周面２１ｏを覆うように配置され、ハウジングに支持されている。コイル部２３ａに高周波の交流電圧を印加することにより磁界を発生させ、この磁界の作用によって定着ベルト２１の基材層２１Ｋに渦電流が発生して基材層２１Ｋが発熱し、定着ベルト２１が加熱される。また、ベルトガイド３１は、コイル部２３ａが発生する磁界によって発熱し、定着ベルト２１の加熱を補助する。
【００２５】
押圧パッド２５は、軸方向Ｘを長手方向とする扁平な直方体状の部材であり、液晶ポリマー等の樹脂で形成されている。押圧パッド２５は、ステー２４の下部に配置されている。押圧パッド２５は、長手方向の長さが定着ベルト２１の長手方向の長さよりも短く、長手方向の両端部が定着ベルト２１の長手方向の両端部よりも中央側に位置するように配置される。図２及び４に示されるように、押圧パッド２５の下面はシート状の摺動部材３５で覆われ、押圧パッド２５は、摺動部材３５及び潤滑剤を介して定着ベルト２１の内周面２１ｉに対向する。摺動部材３５は、フッ素系の材料で構成され、定着ベルト２１の摺動負荷を低減する。
【００２６】
加圧ローラー２７は、軸と、芯金と、芯金の外周面に設けられた弾性層と、弾性層の外周面に設けられた離型層と、を有する。芯金、弾性層、離形層の軸方向Ｘの長さは、定着ベルト２１の軸方向Ｘの長さよりも短い。軸は、芯金の軸方向Ｘの両端から突き出ている。軸及び芯金は、ステンレス鋼やＡｌ合金等の金属で形成されている。弾性層は、シリコンゴム等で形成されている。離型層は、ＰＦＡチューブ等で形成されている。加圧ローラー２７の軸には、ギア等の伝達機構（図示省略）を介して、モーター等の駆動源（図示省略）から駆動力が伝達される。加圧ローラー２７と押圧パッド２５とは、定着ベルト２１を挟持した状態で所定の荷重で互いに押圧され、加圧ローラー２７と定着ベルト２１との間に用紙が挟持搬送される加圧領域Ｎが形成される。
【００２７】
図４及び７に示されるように、キャップ４１は、定着ベルト２１の端面２１ｅに対向する円板部４１Ｄと、円板部４１Ｄから後側（定着ベルト２１の長手方向の中央側）へ延びるように形成され、内周面４１ｉが定着ベルト２１の外周面２１ｏに対向する円筒部４１Ｃと、を有する。キャップ４１は、ＰＰＳ樹脂等で形成されている。円板部４１Ｄの中央には、前後方向に貫通する孔４１ｈが形成されており、ステー２４が孔４１ｈを貫通している。
【００２８】
キャップ４１は、定着ベルト２１の小径部２１ｏＳに接触する環状のベルト保持部材４３を円筒部４１Ｃの内周面４１ｉに備える。ベルト保持部材４３は、シリコンゴム、フッ素ゴム等で形成された矩形断面の環状の部材であり、その外周面４３ｏが、円筒部４１Ｃの内周面４３ｉに接着され、その内周面４３ｉが、定着ベルト２１の小径部２１ｏＳに接触する。キャップ４１が取り付けられた状態で定着ベルト２１が回転すると、ベルト保持部材４３の内周面４３ｉと定着ベルト２１の小径部２１ｏＳとの摩擦抵抗により、キャップ４１が定着ベルト２１と連れ回る。ベルト保持部材４３の厚みは、例えば、１．５ｍｍである。
【００２９】
キャップ４１は、定着ベルト２１の段差部２１ｓに接触する接触部を備える。具体的には、接触部は、ベルト保持部材４３の段差部２１ｓと対向する対向面４３ｓである。定着ベルト２１の端面２１ｅと段差部２１ｓとの距離Ｌ１は、円板部４１Ｄとベルト保持部材４３の対向面４３ｓとの距離Ｌ２よりも短い。この構成により、定着ベルト２１の端面２１ｅとキャップ４１の円板部４１Ｄとの間に間隙Ｇが設けられる。寸法の一例を示すと、距離Ｌ１が１０ｍｍ、距離Ｌ２が１２ｍｍ、間隙Ｇの幅Ｗが２ｍｍである。
【００３０】
図３及び４に示されるように、キャップ４１の円板部４１Ｄよりも前側において、ステー２４にストッパー４５が取り付けられている。ストッパー４５は、キャップ４１の孔４１ｈよりも大きな板状の部材であり、キャップ４１の前後方向の移動を制限する。
【００３１】
次に、図２を参照して、定着装置９の定着動作を説明する。加圧ローラー２７が駆動されて回転すると、定着ベルト２１が加圧ローラー２７の回転方向と反対の方向に従動回転し、定着ベルト２１が摺動部材３５に対して摺動する。ＩＨヒーター２３に電力が供給されると、定着ベルト２１の基材層２１Ｋが発熱し、定着ベルト２１が加熱される。定着ベルト２１が所定の温度に達した後、トナーが転写された用紙Ｓが加圧領域Ｎに搬送される。加圧領域Ｎにおいて、用紙Ｓは定着ベルト２１と加圧ローラー２７とに挟持されて決められた搬送方向Ｙに搬送される。このとき、定着ベルト２１によってトナーが加熱及び加圧され、トナーが用紙Ｓに定着される。トナーが定着された用紙Ｓは、定着ベルト２１から分離されて、搬送経路１５に沿って搬送される。
【００３２】
次に、図２、８Ａ乃至９Ｂを参照して、段差部２１ｓを備えない比較例との比較により、本実施形態の効果を説明する。図８Ａ乃至８Ｃは、比較例の定着ベルト８２１の端面８２１ｅ周辺の断面図であり、着目する断面における潤滑剤Ｌｕの定着ベルト８２１の回転に伴う挙動が示されている。図８Ａは、着目する断面が加圧領域Ｎに進入する前の潤滑剤Ｌｕの様子を示す図である。図８Ｂは、着目する断面が加圧領域Ｎに進入したときの潤滑剤Ｌｕの様子を示す図である。図８Ｃは、着目する断面が加圧領域Ｎから退出するときの潤滑剤Ｌｕの様子を示す図である。
【００３３】
定着ベルト８２１は、本実施形態の段差部２１ｓを備えず、厚さが長手方向に均一である。キャップ８４１は、円板部８４１Ｄと円筒部８４１Ｃとを有する。円板部８４１Ｄの定着ベルト８２１の端面８２１ｅに対向する対向面には、弾性部材８４３が接着されており、定着ベルト８２１の端面８２１ｅは、弾性部材８４３に接触する。弾性部材８４３は、例えば、フッ素ゴムである。
【００３４】
着目する断面が加圧領域Ｎに進入する前においては（図８Ａ参照）、定着ベルト８２１の外周面８２１ｏがキャップ８４１の円筒部８４１Ｃの内周面８４１ｉに接触している。定着ベルト８２１の内周面８２１ｉに塗布された潤滑剤Ｌｕの流出が制限されていないため、内周面８２１ｉの端部から弾性部材８４３の表面に潤滑剤Ｌｕが流出している。
【００３５】
着目する断面が加圧領域Ｎに進入すると（図８Ｂ参照）、加圧領域Ｎは円筒部８４１Ｃの内周面８４１ｉよりも中心側に形成されているから（図２参照）、加圧領域Ｎ内では定着ベルト８２１が円筒部８４１の中心側へ変形し、弾性部材８４３の表面に流出している潤滑剤Ｌｕを定着ベルト８２１がキャップ８４１の中心側へ押し出す。このとき、定着ベルト８２１の端面８２１ｅが潤滑剤Ｌｕに乗り上げた状態で中心側へ移動するため、弾性部材８４３の表面に膜状の潤滑剤Ｌｕが残留する。
【００３６】
着目する断面が加圧領域Ｎから退出するとき（図８Ｃ参照）、定着ベルト８２１の変形が復元し、弾性部材８４３の表面に残留した膜状の潤滑剤Ｌｕを定着ベルト８２１が円筒部８４１Ｃの内周面４１ｉ側へと押し出す。押し出された潤滑剤Ｌｕは、定着ベルト８２１の外周面８２１ｏの端部から中央側へと漏れ出る。以上の挙動が定着ベルト８２１の１回転毎に繰り返される。
【００３７】
なお、ここでは、比較例として円板部８４１Ｄの定着ベルト２１の端面８２１ｅに対向する対向面に弾性部材８４２が設けられた例を示したが、円筒部８４１Ｃの内周面８４１ｉに弾性部材が設けられた構成でも、潤滑剤Ｌｕが上記比較例と同様の挙動を示す。
【００３８】
一方、図９Ａ及び９Ｂは、本実施形態の定着ベルト２１の端面２１ｅ周辺の断面図である。図９Ａは、着目する断面が加圧領域Ｎに進入する前の潤滑剤Ｌｕの様子を示す図である。図９Ｂは、着目する断面が加圧領域Ｎに進入したときの潤滑剤Ｌｕの様子を示す図である。
【００３９】
着目する断面が加圧領域Ｎに進入する前においては（図９Ａ参照）、定着ベルト２１の小径部２１ｏＳがベルト保持部材４３の内周面４３ｉに接触している。定着ベルト２１の端面２１ｅとキャップ４１の円板部４１Ｄとの間に間隙Ｇが設けられているため、定着ベルト２１の内周面２１ｉに塗布されている潤滑剤Ｌｕは、表面張力により内周面２１ｉに留まる。
【００４０】
着目する断面が加圧領域Ｎに進入すると（図９Ｂ参照）、定着ベルト２１がキャップ４１の中心側に変形するが、端面２１ｅと円板部４１Ｄとの間に間隙Ｇが設けられているため、潤滑剤Ｌｕは、表面張力により内周面２１ｉに留まる。
【００４１】
着目する断面が加圧領域Ｎから退出すると、再び図９Ａに示される状態となる。このとき、定着ベルト２１の変形が復元するが、端面２１ｅと円板部４１Ｄとの間に間隙Ｇが設けられているため、潤滑剤Ｌｕは、表面張力により内周面２１ｉに留まる。以上の挙動が定着ベルト２１の１回転毎に繰り返される。
【００４２】
以上、説明したとおり、本実施形態では、定着ベルト２１の端面２１ｅとキャップ４１の円板部４１Ｄとの間に間隙Ｇが設けられているため、回転に伴って定着ベルト２１が径方向の変形を繰り返しても、潤滑剤Ｌｕは表面張力により定着ベルト２１の内周面２１ｉに留まる。よって、本実施形態によれば、複雑な構成を用いずに、潤滑剤Ｌｕが定着ベルト２１の外周面２１ｏに漏れることを抑制することができる。
【００４３】
また、定着ベルト２１又はキャップ４１に軸方向Ｘの外力が働いても、ベルト保持部材４３により間隙Ｇの幅Ｗの減少が抑制される。よって、本実施形態によれば、定着ベルト２１又はキャップ４１に軸方向Ｘの外力が働いても、潤滑剤Ｌｕが定着ベルト２１の外周面２１ｏに漏れることを抑制することができる。
【００４４】
また、ベルト保持部材４３は、間隙Ｇの幅Ｗの減少を抑制する機能と、定着ベルト２１との間に摩擦抵抗を発生させる機能とを兼ね備えるから、これらの機能を別々の部材で実現する構成と比べて、部品数を抑えることができる。
【００４５】
＜第２実施形態＞
次に、図１０を参照して、本発明の第２実施形態に係る定着装置９Ｂについて、第１実施形態と異なる部分を説明する。図１０は、定着装置９Ｂの前側の部分の断面図である。第１実施形態と同一の構成要素は、第１実施形態と同一の符号を用いて示す。以下では、定着装置９Ｂの前側の部分について説明するが、後側の部分も前後が反転される以外は前側の部分と共通の構成を有する。
【００４６】
キャップ４１の円筒部４１Ｃには、寄り止め部材４７が設けられる。寄り止め部材４７は、円筒部４７Ｃと、円筒部４７Cの内周面４７ｉから突出し、周方向に延びるように形成され、定着ベルト２１の小径部２１ｏＳに対向する凸部４７Ｐと、を備える。寄り止め部材４７は、ＰＰＳ樹脂等で形成されている。円筒部４７Ｃの内径は、キャップ４１の円筒部４１Ｃの外径に対応している。円筒部４７Ｃの凸部４７Ｐよりも前側（定着ベルト２１の端部２１ｅ側）の部分に、キャップ４１の円筒部４１Ｃが嵌め込まれる。
【００４７】
円筒部４７Ｃの内周面４７ｉのうち凸部４７Ｐよりも後側（定着ベルト２１の長手方向の中央側）の部分には、定着ベルト２１の大径部２１ｏＬに接触する環状のベルト保持部材４３が設けられる。ベルト保持部材４３の外周面４３ｏが、円筒部４７Ｃの内周面４７ｉに接着され、ベルト保持部材４３の内周面４３ｉが、定着ベルト２１の大径部２１ｏＬに接触する。キャップ４１及び寄り止め部材４７が取り付けられた状態で定着ベルト２１が回転すると、ベルト保持部材４３の内周面４３ｉと大径部２１ｏＬとの摩擦抵抗により、キャップ４１及び寄り止め部材４７が定着ベルト２１と連れ回る。
【００４８】
本実施形態において、定着ベルト２１の段差部２１ｓに接触する接触部は、凸部４７Ｐの段差部２１ｓと対向する対向面４７ｓである。定着ベルト２１の端面２１ｅと段差部２１ｓとの距離Ｌ１は、円板部４１Ｄと凸部４７Ｐの対向面４７ｓとの距離Ｌ２よりも短い。この構成により、定着ベルト２１の端面２１ｅとキャップ４１の円板部４１Ｄとの間に間隙Ｇが設けられる。
【００４９】
本実施形態では、定着ベルト２１の端面２１ｅとキャップ４１の円板部４１Ｄとの間に間隙Ｇが設けられているため、回転に伴って定着ベルト２１が径方向の変形を繰り返しても、潤滑剤Ｌｕは表面張力により定着ベルト２１の内周面２１ｉに留まる。よって、本実施形態によれば、複雑な構成を用いずに、潤滑剤Ｌｕが定着ベルト２１の外周面２１ｏに漏れることを抑制することができる。
【００５０】
また、ＰＰＳ樹脂等で形成された寄り止め部材４７の凸部４７Ｐの対向面４７ｓと定着ベルト２１の段差部２１ｓとが接触しているため、定着ベルト２１又はキャップ４１に軸方向Ｘの外力が働いても、定着ベルト２１とキャップ４１との寄りが止められ、間隙Ｇの幅ＷがＬ２−Ｌ１に維持される。よって、本実施形態によれば、定着ベルト２１又はキャップ４１に軸方向Ｘの外力が働いても、潤滑剤Ｌｕが定着ベルト２１の外周面２１ｏに漏れることを抑制することができる。
【００５１】
＜第１実施形態の変形例＞
次に、図１１を参照して、第１実施形態の変形例に係る定着装置９Ｃについて、第１実施形態と異なる部分を説明する。図１１は、定着装置９Ｃの前側の部分の断面図である。第１実施形態と同一の構成要素は、第１実施形態と同一の符号を用いて示す。以下では、定着装置９Ｃの前側の部分について説明するが、後側の部分も前後が反転される以外は前側の部分と共通の構成を有する。
【００５２】
定着ベルト２２の外周面２２ｏには、周方向に延びる凸部２２Ｐが形成されている。例えば、凸部２２Ｐ以外の部分よりも弾性層を厚く形成することで凸部２２Ｐが形成されてもよく、均一な厚みの定着ベルトの外周面に矩形断面の帯状の部材を接着することで凸部２２Ｐが形成されてもよい。定着ベルト２２の外周面２２ｏのうち、凸部２２Ｐよりも前側（端面２２ｅ側）の領域を小径部２２ｏＳといい、凸部２２Ｐの外周面を大径部２２ｏＬという。小径部２２ｏＳと大径部２２ｏＬとの境界には、段差部２２ｓが形成されている。ベルト保持部材４３の外周面４３ｏが、円筒部４１Ｃの内周面４１ｉに接着され、ベルト保持部材４３の内周面４３ｉが、定着ベルト２２の小径部２２ｏＳに接触する。キャップ４１が取り付けられた状態で定着ベルト２２が回転すると、ベルト保持部材４３の内周面４３ｉと定着ベルト２２の小径部２２ｏＳとの摩擦抵抗により、キャップ４９が定着ベルト２１と連れ回る。
【００５３】
本変形例において、定着ベルト２２の段差部２２ｓに接触する接触部は、ベルト保持部材４３の段差部２２ｓと対向する対向面４３ｓである。定着ベルト２２の端面２２ｅと段差部２２ｓとの距離Ｌ１は、円板部４１Ｄとベルト保持部材４３の対向面４３ｓとの距離Ｌ２よりも短い。この構成により、定着ベルト２２の端面２２ｅとキャップ４１の円板部４１Ｄとの間に間隙Ｇが設けられる。
【００５４】
本変形例では、定着ベルト２２の端面２２ｅとキャップ４１の円板部４１Ｄとの間に間隙Ｇが設けられているため、回転に伴って定着ベルト２２が径方向の変形を繰り返しても、潤滑剤Ｌｕは表面張力により定着ベルト２２の内周面２２ｉに留まる。よって、本変形例によれば、複雑な構成を用いずに、潤滑剤Ｌｕが定着ベルト２２の外周面２２ｏに漏れることを抑制することができる。
【００５５】
また、本変形例によれば、定着ベルト２２の小径部２２ｏＳに対応する部分の肉厚が第１実施形態の小径部２１ｏＳに対応する部分の肉厚よりも厚いため、第１実施形態と比べて定着ベルト２２とキャップ４１の回転の安定性が向上する。
【００５６】
＜第２実施形態の変形例＞
次に、図１２を参照して、第２実施形態の変形例に係る定着装置９Ｄについて説明する。図１２は、定着装置９Ｄの前側の部分の断面図である。以下では、定着装置９Ｄの前側の部分について説明するが、後側の部分も前後が反転される以外は前側の部分と共通の構成を有する。
【００５７】
キャップ４９は、定着ベルト２１の端面２１ｅに対向する円板部４９Ｄと、円板部４９Ｄから後側（定着ベルト２１の長手方向の中央側）へ延びるように形成され、内周面４９ｉ１が定着ベルト２１の小径部２１ｏＳに対向する第１円筒部４９Ｃ１と、第１円筒部４９Ｃ１の後側（円板部４９Ｄと反対側）の端部に形成されたフランジ部４９Ｆと、フランジ部４９Ｆの外縁から後側（定着ベルト２１の長手方向の中央側）へ延びるように形成され、内周面４９ｉ２が定着ベルト２１の大径部２１ｏＬに対向する第２円筒部４９Ｃ２と、を備える。
【００５８】
第２円筒部４９Ｃ２の内周面４９ｉ２には、定着ベルト２１の大径部２１ｏＬに接触する環状のベルト保持部材４３が設けられている。ベルト保持部材４３の外周面４３ｏが、第２円筒部４９Ｃ２の内周面４９ｉ２に接着され、ベルト保持部材４３の内周面４３ｉが、定着ベルト２１の大径部２１ｏＬに接触する。キャップ４９が取り付けられた状態で定着ベルト２１が回転すると、ベルト保持部材４３の内周面４３ｉと大径部２１ｏＬとの摩擦抵抗により、キャップ４９が定着ベルト２１と連れ回る。
【００５９】
本変形例において、定着ベルト２１の段差部２１ｓに接触する接触部は、フランジ部４９Ｆの段差部２１ｓと対向する対向面４９ｓである。定着ベルト２１の端面２１ｅと段差部２１ｓとの距離Ｌ１は、円板部４９Ｄとフランジ部４９Ｐの対向面４９ｓとの距離Ｌ２よりも短い。この構成により、定着ベルト２１の端面２１ｅとキャップ４９の円板部４９Ｄとの間に間隙Ｇが設けられる。
【００６０】
本変形例では、定着ベルト２１の端面２１ｅとキャップ４９の円板部４９Ｄとの間に間隙Ｇが設けられているため、回転に伴って定着ベルト２１が径方向の変形を繰り返しても、潤滑剤Ｌｕは表面張力により定着ベルト２１の内周面２１ｉに留まる。よって、本変形例によれば、複雑な構成を用いずに、潤滑剤Ｌｕが定着ベルト２１の外周面２１ｏに漏れることを抑制することができる。
【００６１】
また、本変形例によれば、第２実施形態と比べて部品数を削減することができる。
【００６２】
なお、各実施形態において、押圧パッド２５及びＩＨヒーター２３に代えて、定着ベルト２１の内周面２１ｉに潤滑剤を介して対向する面状ヒーターが備えられてもよい
【００６３】
上記した本発明の実施形態の説明は、本発明に係る定着装置及び画像形成装置における好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００６４】
１  プリンター（画像形成装置）
７  画像形成部
９  定着装置
２１  定着ベルト
２１ｅ  端面
２１ｉ  内周面
２１ｏ  外周面
２１ｓ  段差部
２５  押圧パッド（押圧部材）
２７  加圧ローラー
３１  ベルトテンションガイド部材
４１  キャップ
４１Ｄ  円板部
４１Ｃ  円筒部
４１ｉ  内周面
４３  ベルト保持部材
４３ｓ  対向面
４７  寄り止め部材
４７Ｃ  円筒部
４７ｉ  内周面
４７Ｐ  凸部
４７ｓ  対向面
【図１】
2019211690.tif 000003
【図２】
2019211690.tif 000004
【図３】
2019211690.tif 000005
【図４】
2019211690.tif 000006
【図５】
2019211690.tif 000007
【図６】
2019211690.tif 000008
【図７】
2019211690.tif 000009
【図８Ａ】
2019211690.tif 000010
【図８Ｂ】
2019211690.tif 000011
【図８Ｃ】
2019211690.tif 000012
【図９Ａ】
2019211690.tif 000013
【図９Ｂ】
2019211690.tif 000014
【図１０】
2019211690.tif 000015
【図１１】
2019211690.tif 000016
【図１２】
2019211690.tif 000017